(57)【要約】【課題】固定ネジ等の固定具の腐食を防止することが可能な電気機器用ラックを提供する。【解決手段】電気機器用ラックは、ラック部と、カバー２２と、取付け機構３と、を備える。カバー２２は、固定具のうちのラック部の外面に露出する露出部分を覆い隠す。取付け機構３は、カバー２２をラック部に着脱可能に取り付ける機構であり、係合部材３１と係合受け部３２とを含む。係合部材３１において、当接部材３１３に設けられた当接孔は、突起のロッド３１１ａの軸方向における当接部材の移動を可能にする一方で突起の頭部３１１ｂは通ることのできない孔である。弾性部材３１４は、当接部材を頭部の方へ付勢する。係合受け部３２は、頭部を通すが当接部材は通さない第１孔部３２１と、頭部及び当接部材の何れをも通さない第２孔部３２２と、を有する。第１孔部と第２孔部とは、これらの間をロッドがカバーのスライドに応じて相対的に移動する様に、繋がっている。【選択図】図５
2018032737.tif 000002
【特許請求の範囲】
【請求項１】
電気機器が設置され、当該電気機器が固定具で固定されるラック部と、
前記電気機器の固定状態において前記固定具のうちの前記ラック部の外面に露出する露出部分を覆い隠すカバーであって、当該露出部分を覆い隠すカバー正面と、当該カバー正面の背面側に設けられた取付け面と、を有するカバーと、
前記カバーを前記ラック部に着脱可能に取り付ける機構であって、前記ラック部の外面の一部である被取付け面と、前記カバーの前記取付け面と、に設けられた取付け機構と、
を備え、
前記取付け機構は、係合部材と、当該係合部材との係合が可能な係合受け部と、から構成されており、
前記係合部材は、
ロッドと、当該ロッドの一端に設けられた頭部と、を含む突起と、
前記ロッドが挿入される当接孔が設けられた当接部材であって、前記当接孔は、前記ロッドの軸方向における前記当接部材の移動を可能にする一方で前記頭部は通ることのできない孔である、当接部材と、
前記当接部材を前記頭部の方へ付勢する弾性部材と、
を有し、
前記係合受け部は、
前記頭部を通すが前記当接部材は通さない第１孔部と、
前記頭部及び前記当接部材の何れをも通さない第２孔部と、
を有し、
前記第１孔部と前記第２孔部とは、これらの間を前記ロッドが前記カバーのスライドに応じて相対的に移動することが可能となる様に、繋がっている、電気機器用ラック。
【請求項２】
前記弾性部材は、前記ロッドを取り巻くコイルバネであり、
前記係合部材は、前記コイルバネ及び前記当接部材が前記ロッドと略同軸となる様に前記コイルバネ及び前記当接部材を保持する軸部を更に有し、
前記軸部は、前記当接孔、前記第１孔部、及び前記第２孔部の何れをも通ることが可能であり、
前記第１孔部と前記第２孔部とは、これらの間を前記軸部が前記カバーのスライドに応じて相対的に移動することが可能となる様に、繋がっている、請求項１に記載の電気機器用ラック。
【請求項３】
前記ラック部は、高さ方向に複数設けられた設置棚を複数の支柱で保持して構成されており、これらの設置棚に設置される電気機器のそれぞれが、前記支柱の少なくとも１つに前記固定具で固定されており、
前記カバーは、前記高さ方向に延在し、複数の前記固定具における前記露出部分を覆い隠す、請求項１又は２に記載の電気機器用ラック。
【請求項４】
前記被取付け面に前記係合部材が設けられ、前記取付け面に前記係合受け部が設けられている、請求項１〜３の何れかに記載の電気機器用ラック。
【請求項５】
前記被取付け面に前記係合受け部が設けられ、前記取付け面に前記係合部材が設けられている、請求項１〜３の何れかに記載の電気機器用ラック。
【発明の詳細な説明】
【技術分野】
【０００１】
本発明は、複数の電気機器を設置することが可能なラックに関する。
【背景技術】
【０００２】
電気機器用ラックとして、複数の電気機器を設置することが可能なものは、従来から多く存在する（例えば、特許文献１参照）。ラックに設置された複数の電気機器は、落下防止のためにラックに固定されることが好ましい。一般的には、電気機器は、ラックの支柱に固定具（例えば、金属製の固定ネジでのネジ留め）により固定される。
【先行技術文献】
【特許文献】
【０００３】
【特許文献１】特開２０１５−１３３３４５号公報
【発明の概要】
【発明が解決しようとする課題】
【０００４】
しかしながら、従来の電気機器用ラックでは、ネジ留めに用いられた固定ネジ等の固定具は、固定箇所において、頭部等の一部が露出した状態で放置されていた。このため、固定ネジが腐食し易い環境下にラックが設置された場合、後にラックから電気機器を取り外そうとしたときに、腐食が原因となって固定ネジを緩めることが困難になるという問題があった。
【０００５】
そこで本発明の目的は、固定ネジ等の固定具の腐食を防止することが可能な電気機器用ラックを提供することである。
【課題を解決するための手段】
【０００６】
本発明に係る電気機器用ラックは、ラック部と、カバーと、取付け機構と、を備える。ラック部は、電気機器が設置されるものであり、当該電気機器が固定具で固定される。カバーは、電気機器の固定状態において固定具のうちのラック部の外面に露出する露出部分を覆い隠すものであり、当該露出部分を覆い隠すカバー正面と、当該カバー正面の背面側に設けられた取付け面と、を有する。取付け機構は、カバーをラック部に着脱可能に取り付ける機構であって、ラック部の外面の一部である被取付け面と、カバーの取付け面と、に設けられている。具体的には、取付け機構は、係合部材と、当該係合部材との係合が可能な係合受け部と、から構成されている。係合部材は、突起と、当接部材と、弾性部材と、を有する。突起は、ロッドと、当該ロッドの一端に設けられた頭部と、を含む。当接部材には、ロッドが挿入される当接孔が設けられており、当接孔は、ロッドの軸方向における当接部材の移動を可能にする一方で突起の頭部は通ることのできない孔である。弾性部材は、当接部材を頭部の方へ付勢する。係合受け部は、頭部を通すが当接部材は通さない第１孔部と、頭部及び当接部材の何れをも通さない第２孔部と、を有する。そして、第１孔部と第２孔部とは、これらの間をロッドがカバーのスライドに応じて相対的に移動することが可能となる様に、繋がっている。
【０００７】
上記電気機器用ラックによれば、固定具の腐食を促す物質（メッキ液等）が飛散する環境下に当該ラックが設置された場合であっても、ラック部の外面からの固定具の露出部分がカバーで覆われることにより、腐食を促す物質から固定具が保護される。
【発明の効果】
【０００８】
本発明によれば、固定具の腐食を防止することが可能となる。
【図面の簡単な説明】
【０００９】
【図１】本発明の実施形態に係る電源システムを正面側から見て示した斜視図である。
【図２】（Ａ）（Ｂ）電源システムが備える電源装置を正面側及び背面側のそれぞれから見て示した斜視図である。
【図３】電源システムの分解斜視図である。
【図４】電気機器用ラックが備えるカバーの一部を背面側から見て示した斜視図である。
【図５】電気機器用ラックが備える取付け機構を背面側から見て示した斜視図である。
【図６】（Ａ）（Ｂ）取付け機構を構成する係合部材の縦断面図及び分解図、及び（Ｃ）図６（Ａ）に示されるVIC−VIC線に沿う断面図である。
【図７】（Ａ）（Ｂ）取付け機構を構成する係合受け部と係合部材の各部との大きさの関係を示した正面図である。
【図８】カバーの取付け過程の第１段階における取付け機構の状態を示した断面図である。
【図９】（Ａ）（Ｂ）カバーの取付け過程の第２段階における取付け機構の状態を示した断面図及び斜視図である。
【図１０】（Ａ）（Ｂ）カバーの取付け過程の第３段階における取付け機構の状態を示した断面図及び斜視図を示した図である。
【図１１】カバーの取付け過程の第４段階における取付け機構の状態を示した断面図である。
【図１２】電気機器用ラックが備える取付け機構の他の例を示した断面図である。
【発明を実施するための形態】
【００１０】
図１は、本発明の実施形態に係る電源システムを正面側から見て示した斜視図である。図１に示される様に、電源システムは、６つの電源装置１（特許請求の範囲に記載の「電気機器」に相当）と、これらが設置される電気機器用ラック２と、を備える。尚、電気機器用ラック２は、６つに限定されない複数の電源装置１の設置が可能なものであってもよい。
【００１１】
図２（Ａ）及び（Ｂ）は、電源装置１を正面側及び背面側のそれぞれから見て示した斜視図である。図２（Ａ）及び（Ｂ）に示される様に、電源装置１の各々は、箱型形状を呈した筐体１１と、筐体１１内に構築された電源回路（不図示）と、を備える。電源回路は、平滑回路やコンバータ回路等、冷却を要する電子部品（スイッチング素子等）が組み込まれた回路を含んでいる。
【００１２】
電源回路の冷却を可能にするべく、筐体１１の前壁１１Ａ（正面側の壁）には吸気口１１ａが設けられ（図２（Ａ）参照）、筐体１１の後壁１１Ｂ（背面側の壁）には排気口１１ｂが設けられている（図２（Ｂ）参照）。そして、ファン等の送風機（不図示）の駆動により、冷却風が、吸気口１１ａから筐体１１内へ流れ込み、筐体１１内を通って排気口１１ｂから排出される。よって、吸気口１１ａ及び排気口１１ｂは、電気機器用ラック２で塞がれずに、開放された状態で維持されることが好ましい。
【００１３】
電源システムでは、６つの電源装置１は、一例として、メッキ処理装置用の電源として利用される。メッキ処理を行う環境下では、メッキ液が飛散し易い。このため、腐食し易い金属製のネジ等の部品は、飛散するメッキ液の付着から保護されることが好ましい。
【００１４】
図１に示される様に、電気機器用ラック２は、ラック部２１と、２つのカバー２２と、を備える。ラック部２１は、電源装置１が設置される設置棚２１１を、高さ方向Ｄｔにおいて６枚設けて構成されている。具体的には、ラック部２１は、設置棚２１１の全てを、２本の前支柱２１２Ａと２本の後支柱２１２Ｂとを含む４本の支柱で保持して構成されている。そして、２本の前支柱２１２Ａのそれぞれに、２つのカバー２２が着脱可能に取り付けられている。尚、ラック部２１の構成は、これに限定されるものではなく、種々の変形が可能である。例えば、ラック部２１は、６枚に限定されない複数の設置棚２１１で構成されていてもよい。
【００１５】
上述の通り、電源装置１の各々において、吸気口１１ａ及び排気口１１ｂは、塞がれずに開放された状態で維持されることが好ましい。よって、ラック部２１は、電源装置１を冷却する冷却風の吸入側及び排出側（ラック部２１の正面側及び背面側）が開放されていることが好ましい。
【００１６】
図３は、電気機器用ラック２の分解斜視図であり、ラック部２１から２つのカバー２２が取り外された状態を示している。図３に示される様に、設置棚２１１の各々に設置される電源装置１は、固定機構によりラック部２１に固定される。具体的には、固定機構は、電源装置１に取り付けられた左右２つのＬ字状の金具１２１と、４つの金属製の固定ネジ１２２（特許請求の範囲に記載の「固定具」に相当）と、から構成されている。本実施形態では、図２（Ａ）及び（Ｂ）に示される様に、電源装置１の左右の側壁１１Ｃのそれぞれに金具１２１が取り付けられている。又、金具１２１の各々には、固定ネジ１２２の軸部が挿通又は螺合される貫通孔１２３が２つ設けられている。
【００１７】
電源装置１の左右の側壁１１Ｃのそれぞれにおいて、金具１２１は、前壁１１Ａに近い位置に配されている。具体的には、金具１２１は、設置棚２１１に電源装置１が設置されたとき、前後に２本ずつ配された４本の支柱のうちの前側を支える２本の前支柱２１２Ａのそれぞれの前面（ラック部２１の正面側を向いた面）に対向する様に（図３参照）、筐体１１に対して取り付けられている。そして、左右２つの金具１２１のそれぞれに設けられている貫通孔１２３を通じて、固定ネジ１２２が２本の前支柱２１２Ａに捻じ込まれ、これにより、電源装置１がラック部２１に固定される（図３参照）。
【００１８】
尚、固定機構の構成は、上記構成に限定されるものではなく、ピンやクリップ等の固定具を用いて実現可能な種々の構成に変更されてもよい。
【００１９】
ラック部２１に電源装置１を固定した状態のままでは、固定ネジ１２２の頭部が、ラック部２１の正面に露出することになる。固定ネジ１２２が露出した状態のまま、メッキ処理等を行う環境下に電源システムが設置された場合、飛散するメッキ液の付着により固定ネジ１２２が腐食することになる。
【００２０】
そこで、固定ネジ１２２の腐食を促す物質（メッキ液等）から当該固定ネジ１２２を保護すべく、２つのカバー２２が設けられている。即ち、カバー２２により、固定ネジ１２２のうちの前支柱２１２Ａの正面に露出する頭部（露出部分）が覆い隠される。本実施形態では、２つのカバー２２は、前側を支える２本の前支柱２１２Ａのそれぞれに対応させて、左右対称に設けられている（図３参照）。
【００２１】
具体的には、左右２つのカバー２２は、何れもが高さ方向Ｄｔに延在しており、ラック部２１への６つの電源装置１の固定状態において前支柱２１２Ａの正面に露出する固定ネジ１２２の全ての頭部（露出部分）を覆い隠す（図１及び図３参照）。
【００２２】
電気機器用ラック２は、各カバー２２をこれに対応する前支柱２１２Ａに着脱可能に取り付ける取付け機構３を備える。
【００２３】
図４は、左右２つのカバー２２のうちの左側のカバー２２の上部を背面側から見て示した斜視図である。又、図５は、取付け機構３を背面側から見て示した斜視図である。図５に示される様に、取付け機構３は、係合部材３１と、当該係合部材３１との係合が可能な係合受け部３２と、から構成されている。本実施形態では、前支柱２１２Ａの正面（ラック部２１の外面）の一部である被取付け面に係合部材３１が設けられ、後述するカバー２２の取付け面２２２に係合受け部３２が設けられている。より具体的には、各前支柱２１２Ａの前面における上下２箇所（被取付け面）に係合部材３１が１つずつ設けられ（図３参照）、各カバー２２の取付け時に上下２つの係合部材３１のそれぞれと対向する２箇所（取付け面）に係合受け部３２が１つずつ設けられている。
【００２４】
図６（Ａ）及び（Ｂ）はそれぞれ、係合部材３１の縦断面図及び分解図である。又、図６（Ｃ）は、図６（Ａ）に示されるVIC−VIC線に沿う断面図である。図６（Ａ）及び（Ｂ）に示される様に、係合部材３１は、突起３１１と、軸部３１２と、当接部材３１３と、弾性部材３１４と、を有する。尚、図６（Ｃ）では、弾性部材３１４の図示が省略されている。
【００２５】
突起３１１は、ロッド３１１ａと、当該ロッド３１１ａの一端に設けられた頭部３１１ｂと、を含む。一例として、ロッド３１１ａは、周面にネジ溝が形成された棒状部材であり、頭部３１１ｂは、ロッド３１１ａの一端にてワッシャ状に形成されている。軸部３１２は、ロッド３１１ａが挿入される軸孔３１２ａが中心に設けられた筒状の部材である。当接部材３１３は、ロッド３１１ａ及び軸部３１２が挿入される当接孔３１３ａが中心に設けられた円盤状の部材である。弾性部材３１４は、本実施形態では圧縮コイルバネである。
【００２６】
図６（Ｃ）に示される様に、係合部材３１において、当接部材３１３の外径が最も大きい。当接孔３１３ａは、軸部３１２の挿入が可能となる様に、内径が軸部３１２の外径より僅かに大きい。突起３１１の頭部３１１ｂは、外径が当接孔３１３ａの内径より大きい。従って、頭部３１１ｂは、当接孔３１３ａを通ることができない。軸部３１２の外径は、当接孔３１３ａの内径より僅かに小さく、且つ、頭部３１１ｂの外径より小さい。軸孔３１２ａは、内径がロッド３１１ａの外径より僅かに大きい。又、図６（Ａ）に示される様に、弾性部材３１４である圧縮コイルバネは、直径が、軸部３１２の外径及び当接孔３１３ａの内径の何れの径よりも大きく、且つ、当接部材３１３の外径より小さい。
【００２７】
そして、係合部材３１の各部は、図６（Ａ）に示される様に、被取付け面（本実施形態では、前支柱２１２Ａの正面）に対し次の様に設けられる。当接部材３１３が、図６（Ａ）の紙面における軸部３１２の左端部が当接孔３１３ａに挿入された状態で、配される。又、当接部材３１３の右側において、弾性部材３１４が、軸部３１２を取り巻く様に配される。そして、左側からロッド３１１ａが軸孔３１２ａ及び当接孔３１３ａに挿入され、当該ロッド３１１ａの他端部（頭部３１１ｂとは反対側の端部。図６（Ａ）の紙面において右端部）が前支柱２１２Ａの正面に捻じ込まれることにより、突起３１１が被取付け面に固定される。尚、突起３１１には、被取付け面への固定が可能なものであれば、ロッド３１１ａの他端部にのみネジ溝が形成されたものや、抜止めが形成されたピン状のもの等が用いられてもよい。
【００２８】
突起３１１が被取付け面に固定される際、突起３１１は、頭部３１１ｂと被取付け面との間においてロッド３１１ａの軸方向に軸部３１２が僅かに移動できる様に（即ち、遊びが生じる様に）、被取付け面へのロッド３１１ａの捻込み量が調整される。尚、軸部３１２は、遊びがない状態で配されてもよい。
【００２９】
被取付け面への係合部材３１の設置状態において、当接部材３１３は、当接孔３１３ａに軸部３１２が挿入された状態で、突起３１１の頭部３１１ｂと弾性部材３１４及び前支柱２１２Ａとの間に配される。これにより、当接部材３１３は、ロッド３１１ａと略同軸となる様に軸部３１２によって保持され、且つ、ロッド３１１ａの軸方向における移動が可能な状態となる。一方、突起３１１の頭部３１１ｂは、外径が当接孔３１３ａの内径より大きいため、当接孔３１３ａを通ることができず、従って、前支柱２１２Ａの正面から離れる方向への当接部材３１３の移動が、頭部３１１ｂにより規制される。
【００３０】
更に、弾性部材３１４は、軸部３１２を取り巻く様に配されることにより、ロッド３１１ａと略同軸となる様に軸部３１２によって保持される。又、弾性部材３１４は、ロッド３１１ａの軸方向における移動が当接部材３１３によって規制されることにより、適度に圧縮された状態で当接部材３１３と前支柱２１２Ａとの間に配される。よって、弾性部材３１４は、突起３１１の頭部３１１ｂの方へ当接部材３１３を付勢する。そして、当接部材３１３が被取付け面の方へ移動することにより、弾性部材３１４が圧縮され、その結果として当接部材３１３への付勢力が大きくなる。
【００３１】
図４及び図５に示される様に、カバー２２は、固定ネジ１２２を覆い隠すカバー正面２２１と、当該カバー正面２２１の背面側に設けられた取付け面２２２と、を有する。そして、係合受け部３２は、取付け面２２２に設けられている。
【００３２】
本実施形態において、取付け面２２２は、カバー正面２２１の背面側における上下２箇所に１つずつ設けられている。具体的には、上下２つの取付け面２２２はそれぞれ、ラック部２１へのカバー２２の取付け状態において、前支柱２１２Ａに設けられた２つの係合部材３１と重なる位置に設けられている。一例として、取付け面２２２は何れも、カバー正面２２１の背面側に立設された台座２２３に支持されており、台座２２３と一体となってＬ字状を呈している。尚、図４には、上側の取付け面２２２のみが示されている。
【００３３】
図７（Ａ）及び（Ｂ）は、係合受け部３２と係合部材３１の各部との大きさの関係を示した正面図である。図７（Ａ）及び（Ｂ）に示される様に、係合受け部３２は、第１孔部３２１と、第２孔部３２２と、を有する。第１孔部３２１は、突起３１１の頭部３１１ｂ及び軸部３１２の何れをも通すが、当接部材３１３は通さない（図７（Ａ）参照）。一方、第２孔部３２２は、軸部３１２は通すが、突起３１１の頭部３１１ｂ及び当接部材３１３の何れをも通さない（図７（Ｂ）参照）。即ち、当接部材３１３は、係合受け部３２の第１孔部３２１の開口領域より大きい形状を呈しており、第１孔部３２１及び第２孔部３２２の何れをも通ることができない。そして、第１孔部３２１と第２孔部３２２とは、これらの間を軸部３１２がカバー２２のスライドに応じて相対的に移動することが可能となる様に、繋がっている。
【００３４】
カバー２２が高さ方向Ｄｔに延在した状態において、第１孔部３２１を係合部材３１に対向させたカバー２２の位置が、ラック部２１に対する着脱可能な位置である。そして、カバー２２に対する次の様な一連の操作で係合受け部３２に係合部材３１を係合させることが可能となる様に、係合受け部３２は形成されている。先ず、着脱可能な位置で、カバー２２をラック部２１の方へ移動させることにより、第１孔部３２１に突起３１１の頭部３１１ｂを挿入する（図８参照）。そして、軸部３１２が第１孔部３２１に挿通された状態となるまで、カバー２２を押し込む（図９（Ａ）及び（Ｂ）参照）。その後、軸部３１２が第２孔部３２２を貫通した状態となる様に、カバー２２を下方へスライド（降下）させる（図１０（Ａ）及び（Ｂ）参照）。そして、この様に係合受け部３２に軸部３１２が貫通した状態でカバー２２を下方へスライド（降下）させることが可能となる様に、第１孔部３２１と第２孔部３２２とが互いに連通している。
【００３５】
上記取付け機構３によれば、次の様な取付け過程を経て、カバー２２をラック部２１に取り付けることができる。図８〜図１１は、その取付け過程を第１段階から第４段階まで順に示した図である。
【００３６】
先ず、図８に示される様に（図７（Ａ）も参照）、係合受け部３２の第１孔部３２１に係合部材３１の突起３１１の頭部３１１ｂを通すと共に、当接部材３１３をカバー２２の取付け面２２２に当接させる（第１段階）。
【００３７】
その後、図９（Ａ）及び（Ｂ）に示される様に、カバー２２を、弾性部材３１４の付勢力に抗して、前支柱２１２Ａの正面に向けて押圧する（第２段階）。これにより、当接部材３１３は、弾性部材３１４を圧縮して前支柱２１２Ａの正面に近づくと共に、突起３１１の頭部３１１ｂが第１孔部３２１からカバー正面２２１側へ突出し、軸部３１２が第１孔部３２１に挿通された状態となる。
【００３８】
次に、図１０（Ａ）及び（Ｂ）に示される様に、カバー２２を、高さ方向Ｄｔにおいて下方へスライド（降下）させる（第３段階）。これにより、係合部材３１の軸部３１２が、係合受け部３２内を、第１孔部３２１から第２孔部３２２へ相対的に移動する。これに伴って、突起３１１の頭部３１１ｂは、通過することができない第２孔部３２２と対向することになる。即ち、第２孔部３２２の位置において、カバー２２の取付け面２２２が、突起３１１の頭部３１１ｂと当接部材３１３との間に、当接部材３１３が当接した状態で配される。
【００３９】
その後、図１１に示される様に、カバー２２を、前支柱２１２Ａの正面へ向けた押圧から解放する（第４段階）。これにより、カバー２２は、弾性部材３１４の付勢力によって、当接部材３１３を介して前支柱２１２Ａの正面とは反対側へ押し戻される。その結果、係合部材３１と係合受け部３２とが互いに係合し、前後方向におけるカバー２２の位置が、第２孔部３２２の開口領域を形成する縁部が突起３１１の頭部３１１ｂに当接する所定位置に位置決めされる。本実施形態では、ラック部２１へのカバー２２の取付け状態においてカバー２２の前面と電源装置１の前面とが略同一平面で揃う様に、上記所定位置が調整されている。
【００４０】
この様にラック部２１の前支柱２１２Ａとカバー２２との互いの対向面に取付け機構３を構築することにより、取付け機構３を構成するネジ等の金具がラック部２１やカバー２２の外面に露出することがない。
【００４１】
上記電気機器用ラック２によれば、ラック部２１への６つの電源装置１の固定状態において前支柱２１２Ａの正面に露出する固定ネジ１２２の全ての頭部（露出部分）が、カバー２２によって覆い隠される。よって、固定ネジ１２２の腐食を促す物質（メッキ液等）が飛散する環境下（例えば、メッキ処理等を行う環境下）に電源システムが設置された場合であっても、固定ネジ１２２は、腐食を促す物質から保護される。よって、固定ネジ１２２の腐食が防止される。
【００４２】
又、係合部材３１において、軸部３１２は当接孔３１３ａに挿入されており、当接部材３１３は、軸部３１２に沿って移動することが可能である。従って、取付け時にカバー２２に加えられる力は、軸部３１２には伝わらずに、殆どが当接部材３１３を介して弾性部材３１４で受け止められる。よって、ラック部２１には、取付け時の衝撃が加わり難い。
【００４３】
更に、上記取付け機構３によれば、ユーザは、ネジ等の部品を用いずに、ラック部２１へのカバー２２の取付けを行うことができる。よって、ユーザは、カバー２２の着脱作業を容易に行うことができる。
【００４４】
更に又、取付け状態におけるカバー２２は、弾性部材３１４によって前方へ付勢された状態で、前後方向における所定位置に位置決めされる。よって、カバー２２には、ガタツキが生じ難い。又、カバー２２が前支柱２１２Ａの正面（ラック部２１）の方へ押圧されたとき、弾性部材３１４の付勢力に抗して前支柱２１２Ａの方へカバー２２を移動させつつ、加えられた力を弾性部材３１４で吸収することができる。よって、カバー２２を、ラック部２１への衝撃を緩和するダンパーとして機能させることができる。本実施形態では、電気機器用ラック２の前面側の左右の角部がカバー２２により覆われている（図１参照）。前面側の左右の角部は、他の機器が接触し易い箇所であるため、本実施形態の構成によれば、高い耐衝撃性が発揮されることになる。
【００４５】
尚、上記実施形態は一例であり、種々の変形が可能である。図１２は、電気機器用ラックが備える取付け機構３の他の例を示した断面図である。図１２に示される様に、突起３１１のロッド３１１ａは、頭部３１１ｂとの境界から他端部３１１ｃとの境界までの部分であって外径が他端部３１１ｃより大きい胴部３１１ｄを有していてもよい。この構成において、突起３１１は、上述した軸部３１２がロッド３１１ａに一体化されたものに相当し、胴部３１１ｄが、当接部材３１３及び弾性部材３１４を保持する軸部３１２として機能する。従って、胴部３１１ｄの周面にはネジ溝は形成されず、小径部である他端部３１１ｃにのみネジ溝が形成されることが好ましい。又、胴部３１１ｄの外径は、軸部３１２の外径と同等であることが好ましい。
【００４６】
更なる他の例として、ラック部２１の正面に限らず、ラック部２１の外面（天面、背面、側面等）に固定ネジ１２２を捻じ込むことにより、電源装置１がラック部２１に固定されてもよい。このとき、固定ネジ１２２の位置に応じて、当該固定ネジ１２２を覆い隠すことが可能となる様に、カバー２２の取付け位置が適宜変更される。
【００４７】
カバーの数は、２つに限定されず、１つであってもよし、３つ以上であってもよい。又、上記実施形態の様に複数の固定ネジ１２２を１つのカバーで纏めて覆い隠してもよいし、固定ネジ１２２ごと又は幾つかグループごとにカバーで覆ってもよい。
【００４８】
取付け機構３は、ラック部２１へのカバー２２の取付けを可能にする種々の機構に変更することができる。例えば、突起３１１のロッド３１１ａには、周面にネジ溝が形成されたものに限らず、ネジ溝を持たない棒状のピンが用いられてもよい。この場合、ピンには、被取付け面（前支柱２１２Ａの正面等）からの突起３１１の脱落を防止するべく、抜止め用の突起等が形成されていることが好ましい。又、取付け機構３は、被取付け面に係合部材３１を設け、カバー２２の取付け面２２２に係合受け部３２を設けたものに限らず、被取付け面に係合受け部３２を設け、カバー２２の取付け面２２２に係合部材３１を設けたものであってもよい。
【００４９】
上記電気機器用ラック２の各部構成は、電源装置１に限定されない種々の電気機器が設置されるラックに適用することができる。
【００５０】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００５１】
１  電源装置
２  電気機器用ラック
３  取付け機構
１１  筐体
１１Ａ  前壁
１１Ｂ  後壁
１１Ｃ  側壁
１１ａ  吸気口
１１ｂ  排気口
２１  ラック部
２２  カバー
３１  係合部材
３２  係合受け部
Ｄｔ  高さ方向
１２１  金具
１２２  固定ネジ
１２３  貫通孔
２１１  設置棚
２１２Ａ  前支柱
２１２Ｂ  後支柱
２２１  カバー正面
２２２  取付け面
２２３  台座
３１１  突起
３１１ａ  ロッド
３１１ｂ  頭部
３１１ｃ  他端部
３１１ｄ  胴部
３１２  軸部
３１２ａ  軸孔
３１３  当接部材
３１３ａ  当接孔
３１４  弾性部材
３２１  第１孔部
３２２  第２孔部
【図１】
2018032737.tif 000003
【図２】
2018032737.tif 000004
【図３】
2018032737.tif 000005
【図４】
2018032737.tif 000006
【図５】
2018032737.tif 000007
【図６】
2018032737.tif 000008
【図７】
2018032737.tif 000009
【図８】
2018032737.tif 000010
【図９】
2018032737.tif 000011
【図１０】
2018032737.tif 000012
【図１１】
2018032737.tif 000013
【図１２】
2018032737.tif 000014
【手続補正書】
【提出日】平成28年9月9日(2016.9.9)
【手続補正１】
【補正対象書類名】図面
【補正対象項目名】図５
【補正方法】変更
【補正の内容】
【図５】
2018032737.tif 000015
【手続補正２】
【補正対象書類名】図面
【補正対象項目名】図９
【補正方法】変更
【補正の内容】
【図９】
2018032737.tif 000016
【手続補正３】
【補正対象書類名】図面
【補正対象項目名】図１０
【補正方法】変更
【補正の内容】
【図１０】
2018032737.tif 000017